(57)【要約】【課題】ＬＥＤ発光機器の利便性が向上される。【解決手段】本開示の発光機器は、通信部１１と、発光部１４と、コントローラ１５とを備える。通信部１１は、通信装置から、当該通信装置が外部から受信した情報または信号の種別を示す通知種別を含む通知情報を受信する。発光部１４は、光を発する。コントローラ１５は、通知情報に基づいて決定した発光パターンで発光部１４が光を発するように制御する。【選択図】図１
2019006353.tif 000002
【特許請求の範囲】
【請求項１】
通信装置から、当該通信装置が外部から受信した情報または信号の種別を示す通知種別を含む通知情報を受信する通信部と、
光を発する発光部と、
前記通知情報に基づいて決定した発光パターンで前記発光部を発光させるコントローラと、
を備える、発光機器。
【請求項２】
前記通知情報は、前記通信装置を一意に特定可能な識別子を含み、
前記コントローラは、前記識別子が所定の識別子である場合に前記発光パターンを決定する、請求項１に記載の発光機器。
【請求項３】
前記通知情報は、通知の緊急性を示す情報を含み、
前記コントローラは、前記通知の緊急性を示す情報に基づいて前記発光部の制御を実行するか否かを決定する、請求項１または２に記載の発光機器。
【請求項４】
前記コントローラは、前記発光部が発光しているかに否か基づいて前記発光部の制御を実行するか否かを決定する、請求項１から３のいずれか一項に記載の発光機器。
【請求項５】
前記コントローラは、前記発光部の発光モードに基づいて前記発光部の制御を実行するか否かを決定する、請求項４に記載の発光機器。
【請求項６】
通信装置から、当該通信装置のユーザの属性に関する属性情報を受信する通信部と、
光を発する発光部と、
前記属性情報に基づいて決定した発光パターンで前記発光部を発光させるコントローラと、
を備える、発光機器。
【請求項７】
前記属性は、前記ユーザの年齢を含み、
前記コントローラは、前記通信装置の位置を判定し、前記位置と前記年齢とに基づいて前記発光パターンを決定する、請求項６に記載の発光機器。
【請求項８】
前記属性は、前記ユーザの性別に関する情報を含み、
前記コントローラは、前記通信装置の位置を判定し、前記位置と前記性別とに基づいて前記発光パターンを決定する、請求項６または７に記載の発光機器。
【請求項９】
前記コントローラは、前記発光パターンとして、前記光の色、輝度、当該色または輝度で発光する時間の１つ以上を決定する、請求項１から８のいずれか一項に記載の発光機器。
【請求項１０】
通信装置から、当該通信装置のユーザの属性に関する属性情報を受信する通信部と、光を発する発光部と、前記属性情報に基づいて発光パターンを決定し、前記発光パターンで前記発光部を発光させるコントローラと、を含む発光機器と、
を備える車両。
【発明の詳細な説明】
【技術分野】
【０００１】
本開示は、発光機器および車両に関する。
【背景技術】
【０００２】
従来、発光ダイオード（ＬＥＤ：Light Emitting Diode）を利用したＬＥＤ発光機器が知られている（例えば、特許文献１参照）。
【先行技術文献】
【特許文献】
【０００３】
【特許文献１】特開２０１３−９３２２０号公報
【発明の概要】
【発明が解決しようとする課題】
【０００４】
ＬＥＤ発光機器の利便性が十分に活用できているとは言い切れないことがあった。
【０００５】
本開示の目的は、ＬＥＤ発光機器の利便性を向上させる発光機器および車両を提供することにある。
【課題を解決するための手段】
【０００６】
本開示の一実施形態にかかる発光機器は、通信部と、発光部と、コントローラと、を備える。前記通信部は、通信装置から、当該通信装置が外部から受信した情報または信号の種別を示す通知種別を含む通知情報を受信する。前記発光部は、光を発する。前記コントローラは、前記通知情報に基づいて決定した発光パターンで前記発光部を発光させる。
【０００７】
本開示の一実施形態にかかる発光機器は、通信部と、発光部と、コントローラと、を備える。前記通信部は、通信装置から、当該通信装置のユーザの属性に関する属性情報を受信する。前記発光部は、光を発する。前記コントローラは、前記通知情報に基づいて決定した発光パターンで前記発光部を発光させる。
【０００８】
本開示の一実施形態にかかる車両は、発光機器を備える。前記発光機器は、通信部と、発光部と、コントローラと、を備える。前記通信部は、通信装置から、当該通信装置のユーザの属性に関する属性情報を受信する。前記発光部は、光を発する。前記コントローラは、前記属性情報に基づいて発光パターンを決定し、前記発光パターンで前記発光部を発光させる。
【発明の効果】
【０００９】
本開示の一実施形態にかかる発光機器および車両によれば、ＬＥＤ発光機器の利便性が向上される。
【図面の簡単な説明】
【００１０】
【図１】発光機器および電子機器の概略構成の一例を示す機能ブロック図である。
【図２】発光機器の一例の外観図である。
【図３】電子機器の一例の外観図である。
【図４】発光機器の動作を説明するフローチャートの一例である。
【図５】発光機器および来客通知装置の概略構成の一例を示す機能ブロック図である。
【図６】来客通知装置の外観図の一例である。
【図７】発光機器の動作を説明するフローチャートの一例である。
【図８】発光機器および電子機器の概略構成の一例を示す機能ブロック図である。
【図９】発光機器を搭載した車両の概略図の一例である。
【図１０】発光機器の動作の例を説明するフローチャートである。
【図１１】発光色の決定における発光機器の動作の例を説明するフローチャートである。
【発明を実施するための形態】
【００１１】
以下、本開示の実施形態について、図面を参照して説明する。
【００１２】
図１は、発光機器１および通信装置４の概略構成の一例を示す機能ブロック図である。発光機器１は、光を発することができる。発光機器１は、例えば蛍光灯を含んで構成されてよい。発光機器１は、通信装置４と互いに通信可能である。
【００１３】
図２は、発光機器１の一例の外観図である。発光機器１は、例えば建物内の部屋に設置される。発光機器１が設置される建物は、例えば、通信装置４のユーザが居住する家であってよい。発光機器１は、部屋の中に、例えば、シーリングライトとして設置される。ただし、発光機器１は、シーリングライトに限られず、例えば、シーリングライト、ペンダントライト、スポットライト、フロアライト、ウォールライト等として設置されてもよい。発光機器１の形状は円筒形状であるが、これに限られない。発光機器１の形状は、球体形状、シート形状等の形状であってもよい。
【００１４】
図１に記載されているように、発光機器１は、通信部１１と、メモリ１２と、操作部１３と、発光部１４と、コントローラ１５と、を備える。
【００１５】
通信部１１は、無線または有線の通信規格により、通信装置４と通信するためのインタフェースである。発光機器１は、通信部１１を介して、通信装置４から送信された情報を受信する。発光機器１は、例えば通信装置４から送信された通知情報を受信する。通知情報は、通信装置４が外部の通信装置から受信した情報または信号の内容に関する情報である。通信装置４は、外部の通信装置から、例えば、通信装置４のメール機能またはメッセージ機能により、メールまたはメッセージとして情報を受信する。通信装置４は、例えば、電話機能により、通話要求を受信する。通信装置４は、外部の通信装置から、例えば災害関連情報等を受信する。災害関連情報は、災害に関連し得る情報であり、例えば、地震、津波、台風、落雷、高潮、洪水、雪崩、土砂崩れおよび火事等の発生等を知らせる情報である。災害関連情報は、例えば、地震発生時に、揺れが発生する前に地震が発生したことを事前に通知する緊急地震速報を含む。
【００１６】
通知情報は、通信装置４が外部の通信装置から受信した情報または信号に応じて、通信装置４により生成される。通知情報は、受信した情報または信号の種別を示す通知種別を含んでよい。例えば、通信装置４は、メールを受信した場合、情報をメールにより受信したことを示す通知種別を含む通知情報を生成する。例えば、通信装置４は、通話要求を受信した場合（つまり着信があった場合）、通話要求を受信したことを示す通知種別を含む通知情報を生成する。例えば、通信装置４は、緊急地震速報を受信した場合、緊急地震速報を受信したことを示す通知種別を含む通知情報を生成する。
【００１７】
通知情報は、例えば通信装置４を一意に特定する情報を含んでよい。通信装置４を一意に特定する情報は、例えば通信装置４を特定可能な識別子であってよい。
【００１８】
通知情報は、通知の緊急性を示す情報を含んでよい。通知の緊急性を示す情報は、例えば緊急フラグにより示されてよい。緊急フラグは、通知情報が緊急性を有するか否かを示すフラグである。緊急フラグは、例えば状況に応じて、発光機器１が後述する発光パターンによる制御を実行するか否かの判定に用いられる。通知の緊急性を示す情報は、緊急度により示されてもよい。緊急度は、例えば数値として表されてよい。この場合、緊急度は、例えば通知情報を通知する必要性または緊急性が高いほど高い数値により表されてよい。緊急度は、数値に限らず、例えば、「高」、「中」および「低」等の段階として表現されてもよい。以下では、通知の緊急性を示す情報は、緊急フラグにより示されるとして説明する。
【００１９】
緊急フラグは、通信装置４が受信した情報または信号の内容に応じて、通信装置４により設定されてよい。例えば、通信装置４は、通知の緊急性を有する情報を受信した場合、例えば、緊急フラグを立てるように設定する（以下、緊急フラグが立った状態を、緊急フラグがオンであるとも表現する）。例えば、通信装置４は、災害関連情報以外の情報を受信した場合、緊急フラグを立てないように設定する（以下、緊急フラグが立っていない状態を、緊急フラグがオフであるとも表現する）。通知の緊急性を有する情報は、例えば、災害関連情報である。
【００２０】
メモリ１２はプログラムおよびデータを記憶する。メモリ１２は、コントローラ１５の処理結果を一時的に記憶する。メモリ１２は、半導体記憶デバイスおよび磁気記憶デバイス等の任意の記憶デバイスを含んでよい。メモリ１２は、複数の種類の記憶デバイスを含んでよい。メモリ１２は、メモリカード等の可搬の記憶媒体と、記憶媒体の読み取り装置との組合せを含んでよい。
【００２１】
メモリ１２に記憶されるプログラムには、フォアグランドまたはバックグランドで実行されるアプリケーションと、アプリケーションの動作を支援する制御プログラムとが含まれる。アプリケーションは、例えば、発光部１４の発光を制御する処理をコントローラ１５に実行させる。制御プログラムは、例えば、ＯＳ（Operating System）である。アプリケーションおよび制御プログラムは、通信部１１による通信または記憶媒体を介してメモリ１２にインストールされてもよい。
【００２２】
メモリ１２は、発光情報と対象識別子とを記憶する。発光情報は、通知種別と発光パターンとが対応付けられたテーブルとして記憶される。対象識別子は、発光機器１が制御を実行する対象となる通信装置４の識別子である。メモリ１２は、対象識別子として、１つ以上の通信装置４の識別子を記憶してよい。対象識別子は、例えば、発光機器１が設置された建物または部屋に居住するユーザが所有する通信装置４の識別子である。
【００２３】
発光パターンは、発光部１４による発光のパターンである。例えば、発光パターンは、光の色、輝度、ならびに当該色および輝度で発光する時間を含んで構成されてよい。発光部１４は、通知情報を受信していない通常時に、例えば白色で発光し、通知情報を受信したときに、通知情報に応じた特定の発光パターンで発光する。発光パターンの一例は、発光部１４が赤色、青色、緑色、黄色、橙色の光を順に所定の時間ずつ発するというパターンであってよい。
【００２４】
操作部１３は、ユーザによる操作を受け付ける。例えば、操作部１３は、スイッチにより構成され、ユーザによる当該スイッチへの操作を受け付ける。例えば、操作部１３は、押しボタンスイッチを有してよい。操作部１３は、例えば発光部１４のオン／オフを制御するスイッチであってよい。操作部１３は、例えば発光部１４が複数の発光モードで発光する場合、発光モードを切り替えるスイッチであってよい。
【００２５】
発光部１４は、光を発する。発光部１４は、例えば、ＬＥＤ蛍光灯である。発光部１４は、操作部１３によって受け付けられた操作に基づいて、発光したり、発光を停止したりしてよい。発光部１４は、発光している場合（オンの場合）、操作部１３が有する押しボタンスイッチがユーザによって押下されるごとに異なる発光モードで光を発してもよい。例えば、発光部１４は、当該発光部１４が光を発していないときに、押しボタンスイッチが押下されると、第１の発光モードとして白色光を発してよい。発光部１４は、第１のモードで発光しているときに押しボタンスイッチが押下されると、例えば第２の発光モードとして常夜灯として機能してよい。発光部１４は、常夜灯として機能する場合、所定の色で発光してよい。所定の色は、夜間における人間の睡眠を妨げないと見込まれる色である。所定の色は、薄暗い暖色系の色（例えばオレンジ色）であってよい。発光部１４は、第２の発光モードで発光しているときに押しボタンスイッチが押下されると、発光を停止してよい。
【００２６】
発光部１４は、コントローラ１５の制御に基づいて、当該コントローラ１５によって決定された発光パターンで光を発する。コントローラ１５は、発光機器１が通知情報を受信したときに、通知情報に応じて発光パターンを決定する。つまり、発光部１４は、例えば発光機器１が通知情報を受信したときに、所定の発光パターンで発光する。
【００２７】
コントローラ１５は、例えばＣＰＵ（Central Processing Unit）等のプロセッサである。コントローラ１５は、他の構成要素が統合されたＳｏＣ（System-on-a-Chip）等の集積回路であってもよい。コントローラ１５は、複数の集積回路を組み合わせて構成されてもよい。コントローラ１５は、発光機器１の動作を統括的に制御して各種の機能を実現する。コントローラ１５は、通信部１１を介して通信装置４から受信した通知情報に基づいて、発光部１４の発光を制御する。コントローラ１５が実行する発光部１４の制御の詳細は後述する。
【００２８】
通信装置４は、発光機器１および外部の通信装置と通信可能な装置である。実施形態の一態様において、通信装置４は、電子機器４Ａとして構成される。
【００２９】
図３は、電子機器４Ａの外観図の一例である。電子機器４Ａは、例えば、携帯可能な電子機器であってよい。携帯可能な電子機器は、例えば、フィーチャーフォンタイプの携帯電話であってよい。携帯可能な電子機器は、例えばスマートフォン、またはタブレット等であってよい。電子機器４Ａは、例えば発光機器１が設置されている建物の居住者が所有してよい。電子機器４Ａは、図１に示すように、機能部として、通信部４１、コントローラ４２、報知部４３、入力部４４、およびディスプレイ４５を備える。
【００３０】
通信部４１は、外部の通信装置から情報または信号を受信すると、コントローラ４２の制御により、通知情報を発光機器１に送信する。
【００３１】
通信部４１が発光機器１と通信するにあたって用いられる通信方式は、近距離の無線通信規格であってよい。近距離の無線通信規格は、例えば、ＩＥＥＥ８０２．１１、Ｂｌｕｅｔｏｏｔｈ（登録商標）、ＩｒＤＡ（Infrared Data Association）、ＮＦＣ（Near Field Communication）、ＴｒａｓｆｅｒＪｅｔおよびＺｉｇＢｅｅ等を含んでよい。通信部４１は、上述した通信規格の１つまたは複数をサポートすることができる。通信部４１が外部の通信装置と通信するにあたって用いられる通信方式は、近距離または遠距離の無線通信規格であってよい。
【００３２】
通信部４１は、上述した通信方式により通知情報を発光機器１に送信する。そのため、近距離無線通信による電波が到達する範囲に発光機器１が存在する場合、発光機器１は通知情報を受信する。したがって、電子機器４Ａが、発光機器１の設置された建物内にある場合に、通知情報が発光機器１に受信され得る。通知情報は、建物内に設置された中継装置によって受信されてもよい。この場合、通信部４１により送信された通知情報は、中継装置によって中継されて、発光機器１に受信される。
【００３３】
コントローラ４２は、例えばＣＰＵ（Central Processing Unit）等のプロセッサである。コントローラ１５は、他の構成要素が統合されたＳｏＣ（System-on-a-Chip）等の集積回路であってもよい。コントローラ４２は、複数の集積回路を組み合わせて構成されてもよい。コントローラ４２は、電子機器４Ａの動作を統括的に制御して各種の機能を実現する。コントローラ４２は、通信部４１が外部の通信装置から情報を受信すると、通信部４１から通知情報を発光機器１に送信する。
【００３４】
報知部４３は、コントローラ４２の制御に基づいて、電子機器４Ａが情報または信号を受信したことをユーザに報知する。報知部４３は、例えばメールを受信したり、通話要求を受信したり、緊急地震速報を受信したりしたとき、これらの情報または信号を受信したことを報知する。例えば、報知部４３は、スピーカまたは振動子により構成されてよい。報知部４３がスピーカにより構成されている場合、報知部４３は、通信部４１が外部の通信装置から情報または信号を受信すると、コントローラ４２の制御により音を出力する。報知部４３が振動子により構成されている場合、報知部４３は、通信部４１が外部の通信装置から情報または信号を受信すると、コントローラ４２の制御により振動する。
【００３５】
入力部４４は、ユーザによる操作を受け付ける。入力部４４は、操作を検出すると検出した操作に応じた信号をコントローラ４２に出力してよい。入力部４４は、例えば、物理キー、およびタッチパネル等を含んでよい。物理キーは、例えば、センターキー、方向キー、通話キー、およびファンクションキー等を含んでよい。物理キーは、押しボタン式の自動復帰型スイッチ等を含んでよい。タッチパネルは、指、またはスタイラスペン等が当該タッチパネルに接触した位置を検出する。タッチパネルの検出方式は、任意の方式とすることができる。例えば、タッチパネルの検出方式として、静電容量方式、抵抗膜方式、表面弾性波方式、赤外線方式、電磁誘導方式、または荷重検出方式等が採用され得る。
【００３６】
ディスプレイ４５は、コントローラ４２から出力された情報を表示する。ディスプレイ４５は、例えば液晶ディスプレイ（Liquid Crystal Display）、有機ＥＬパネル（Organic Electro-Luminescence panel）、または無機ＥＬパネル（Inorganic Electro-Luminescence panel）等の表示デバイスにより構成されていてよい。
【００３７】
ここで、発光機器１のコントローラ１５が実行する発光部１４の制御の詳細について説明する。コントローラ１５は、通信装置４に基づいて動作を開始する。具体的には、電子機器４Ａは、上述したように情報または信号を受信する。通信装置４は、情報または信号を受信すると、通知情報を送信する。
【００３８】
コントローラ１５は、例えば通信部１１を介して、通信装置４から通知情報を受信する。コントローラ１５は、通知情報を受信すると、当該通知情報に含まれる識別子がメモリ１２に記憶されている１つ以上の対象識別子のいずれかに該当するか否かを判定する。
【００３９】
コントローラ１５は、通知情報に含まれる識別子が対象識別子の何れかと同一であると判定すると、メモリ１２に記憶されている発光パターンを決定する。具体的には、コントローラ１５は、通知情報に含まれる通知種別と同一の通知種別にテーブルで対応付けられている発光パターンを、発光部１４に発光させる発光パターンと決定する。コントローラ１５は、発光パターンを決定すると当該発光パターンで発光部１４に発光させる。コントローラ１５は、当該通知情報に含まれる識別子が対象識別子の何れとも同一でないと判定されると、処理を行わない。これにより、発光機器１は、識別子が対象識別子の何れかと同一である通知情報を受信したときに、発光パターンを決定し、当該発光パターンで発光部１４を発光させることができる。例えば、発光機器１は、受信した識別子が第三者の所有する通信装置４の識別子であった場合には、発光パターンを決定せずに、操作部１３で受け付けた操作に基づく発光を継続させる。これにより、ユーザは、第三者の通信装置ではなく自身の所持する通信装置４が情報を受け付けたことを認識することができる。
【００４０】
コントローラ１５は、通知情報に含まれる緊急フラグに基づいて発光部１４を制御してよい。具体的には、コントローラ１５は、緊急フラグがオンであるかオフであるかを判定する。コントローラ１５は、緊急フラグがオンであると判定した場合、上述のように、電子機器４Ａから受信した通知情報と、メモリ１２に記憶されている発光情報とに基づいて発光パターンを決定する。コントローラ１５は、緊急フラグがオフであると判定した場合、発光パターンに関する処理を行わない。
【００４１】
上述において、通知情報は、緊急フラグではなく、緊急度を含んでもよいと説明した。通知情報が緊急度を含む場合、コントローラ１５は、緊急度が所定値以上である場合に、発光パターンを決定してよい。コントローラ１５は、緊急度が所定値未満である場合に、発光パターンに関する処理を行わなくてよい。所定値は、例えばメモリ１２に予め記憶されている。
【００４２】
コントローラ１５は、操作部１３によって受け付けられた操作による、発光部１４がオンであるか否か、および発光モードに基づいて発光部１４を制御してよい。
【００４３】
例えば、コントローラ１５は、発光部１４がオンであるかオフであるか判定してよい。コントローラ１５は、発光部１４がオフである場合、処理を行わなくてよい。発光部１４がオフである場合、ユーザは発光機器１が設置された部屋に存在しないと想定される。そのため、コントローラ１５は、発光部１４がオフであるときに、処理を行わないことによって、当該コントローラ１５の負荷を低減することができ、発光による電力消費を低減させることができる。
【００４４】
コントローラ１５は、発光部１４がオンである場合、発光部１４が第２の発光モードであるか否かを判定してよい。コントローラ１５は、発光部１４が第２の発光モードである場合、通知情報に基づいて発光パターンを決定してよい。具体的には、コントローラ１５は、発光部１４が第２の発光モードであり、かつ緊急フラグがオンである場合、通知種別に基づいて発光パターンを決定してよい。コントローラ１５は、第２の発光モードであり、かつ緊急フラグがオフである場合、処理を行わなくてよい。この場合、コントローラ１５は、発光部１４を制御せず、発光部１４は、操作部１３によって受け付けられた操作に基づく発光を継続する。
【００４５】
第２の発光モードは、発光部１４が常夜灯として機能するモードである。つまり、発光部１４が第２の発光モードである場合、ユーザは就寝中であると想定される。一方、緊急フラグがオンである通知情報は、例えば災害関連情報であり、可能な限り早期にユーザに知らせるべき情報である場合がある。コントローラ１５は、緊急フラグがオンである通知情報は、ユーザが就寝中であると想定される第２の発光モードの場合であっても、発光部１４を所定の発光パターンで発光させる。これにより、就寝中のユーザを起床させ、通信装置４が、例えば緊急地震速報等の情報を受信したことを知らせることができる。これに対し、コントローラ１５は、発光部１４が第２の発光モードである場合、緊急フラグがオフである通知情報を受信しても、発光部１４を特定の発光パターンで発光させる処理を実行しない。これにより、ユーザの就寝中に緊急性の低い情報によってユーザの就寝を妨げることを防ぐことができる。
【００４６】
図４は、発光機器１の動作を説明するフローチャートお一例である。発光機器１は、電子機器４Ａに基づいて動作を開始する。具体的には、電子機器４Ａは、上述したように情報または信号を受信する。通信装置４は、情報または信号を受信すると、通知情報を生成し、発光機器１に送信する。
【００４７】
コントローラ１５は、通信部１１を介して、通信装置４から通知情報を受信する（ステップＳ１１）。
【００４８】
コントローラ１５は、発光部１４がオンであるか否かを判定する（ステップＳ１２）。
【００４９】
コントローラ１５は、発光部１４がオフであると判定すると（ステップＳ１２のＮｏ）、発光部１４について特定の制御を行うことなく、処理を終了する。
【００５０】
コントローラ１５は、発光部１４がオンであると判定すると（ステップＳ１２のＹｅｓ）、通知情報に含まれる識別子が、メモリ１２に記憶されている対象識別子のうちのいずれかに該当するか否かを判定する（ステップＳ１３）。
【００５１】
コントローラ１５は、通知情報に含まれる識別子が対象識別子のいずれにも該当しないと判定した場合（ステップＳ１３のＮｏ）、処理を終了する。
【００５２】
コントローラ１５は、通知情報に含まれる識別子が対象識別子のいずれかに該当すると判定した場合（ステップＳ１３のＹｅｓ）、発光部１４が第２の発光モードであるか否かを判定する（ステップＳ１４）。
【００５３】
コントローラ１５は、発光部１４が第２の発光モードでないと判定した場合（ステップＳ１４のＮｏ）、ステップＳ１６に移行する。
【００５４】
コントローラ１５は、発光部１４が第２の発光モードであると判定した場合（ステップＳ１４のＹｅｓ）、通知情報に含まれる緊急フラグがオンであるかオフであるかを判定する（ステップＳ１５）。
【００５５】
コントローラ１５は、発光部１４がオフであると判定した場合（ステップＳ１５のＮｏ）、処理を終了する。
【００５６】
コントローラ１５は、発光部１４がオンであると判定した場合（ステップＳ１５のＹｅｓ）、ステップＳ１６に移行する。
【００５７】
コントローラ１５は、通知情報に基づいて発光パターンを決定する（ステップＳ１６）。
【００５８】
コントローラ１５は、決定された発光パターンで発光部１４に発光させる（ステップＳ１７）。
【００５９】
以上、コントローラ１５は、情報を受信した通信装置４から受信した通知情報に基づいて決定した発光パターンで発光部１４を発光させる。そのため、ユーザは、発光部１４が発光パターンに基づく発光により、視覚的に、通信装置４が情報を受信したことを認識することができる。例えば電子機器４Ａが音によりユーザに情報を報知する場合、ユーザが音を聞き取れなかったり聞き逃したりすることがある。これに対し、第１実施形態によれば、ユーザが音を聞き取れなかったり聞き逃したりした場合も、視覚的に電子機器４Ａによる情報の受信を認識することができる。したがって、発光機器２の利便性が向上される。
【００６０】
コントローラ１５は、電子機器４Ａを識別するための識別子を含む通知情報を受信する。そして、コントローラ１５は識別子が、メモリ１２に記憶されている対象識別子のいずれかに該当する場合に発光パターンを決定し、発光部１４を発光させる。そのため、発光機器１は、例えば、当該発光機器１が設置された建物に居住するユーザの電子機器４Ａが情報を受信したときに、発光パターンを決定し、当該発光パターンで発光部１４を発光させることができる。例えば、発光機器１は、受信した識別子が第三者の所持する電子機器４Ａの識別子であった場合には、発光パターンを決定せずに、操作部１３で受け付けた操作に基づく発光を継続させる。これにより、ユーザは、第三者の通信装置ではなく、予め設定された所定のユーザが所有する電子機器４Ａが情報を受け付けたことを認識することができる。
【００６１】
コントローラ１５は、緊急フラグに基づいて発光部１４を制御する。例えば、コントローラ１５は、通知情報の緊急フラグがオンである場合に発光パターンを決定して、当該発光パターンで発光部１４を制御することにより、通知をユーザに認識させることができる。緊急フラグがオンである通知情報は、例えば災害関連情報であり、可能な限り早期にユーザに知らせるべき情報である場合がある。コントローラ１５は、緊急フラグがオンである通知情報を受信した場合に発光部１４を所定の発光パターンで発光させる。これにより、早期に知らせるべき情報をユーザに迅速に知らせることができる。
【００６２】
コントローラ１５は、発光部１４が第２の発光モードであるか否かに基づいて発光パターンを決定する。発光部１４が第２の発光モードであるとき、ユーザは就寝中であると推定される。コントローラ１５は、緊急フラグがオンである通知情報は、ユーザが就寝中であると想定される第２の発光モードの場合であっても、発光部１４を所定の発光パターンで発光させる。これにより、就寝中のユーザを起床させ、通信装置４が、例えば緊急地震速報等の情報を受信したことを知らせることができる。これに対し、コントローラ１５は、発光部１４が第２の発光モードである場合、緊急フラグがオフである通知情報を受信しても、発光部１４を特定の発光パターンで発光させる処理を実行しない。これにより、ユーザの就寝中に緊急性の低い情報によってユーザの就寝を妨げることを防ぐことができる。
【００６３】
発光部１４は、操作部１３が受け付けた操作に基づいてオン及びオフが切り換えられる。さらに、発光部１４は、通信部１１によって受信した通知情報に基づいてコントローラ１５に決定された発光パターンで発光する。このように、発光機器１は、通知情報を受信した場合に、通知情報を受信したことを知らせる発光パターンで発光する機器として機能し、そうでない場合には、通常の蛍光灯として機能する。そのため、通信装置４が情報を受信したことを通知することのみを目的として発光機器が設置される必要はない。発光機器１は、建物内に設置され生活空間に光を発することを目的とする発光機器（つまり蛍光灯）の役割を兼ねることができる。したがって、生活空間に光を発する発光機器と、情報の受信を通知する発光機器との双方が設置される場合に比べて、建物内に設置される機器の数が削減され得る。
【００６４】
図５は、発光機器２の概略図の一例である。図５を参照して、発光機器２について説明する。ただし、ここでは前述した実施形態と同様となる説明は、適宜、簡略化または省略する。
【００６５】
通信装置４は、発光機器１および外部の通信装置と通信可能である。通信装置４は、発光機器１に情報を送信可能な来客通知装置４Ｂであってよい。図６は、来客通知装置４Ｂの外観図の一例である。来客通知装置４Ｂは、例えば、玄関チャイムであってよい。来客通知装置４Ｂは、例えば、発光機器１が設置された住宅の玄関に設置される。当該住宅を訪れる来客が、来客通知装置４Ｂを操作すると、例えば住宅内でチャイムが鳴り、住宅内にいる居住者が来客の存在に気づくことができる。
【００６６】
図５は、発光機器２および来客通知装置４Ｂの概略構成の一例を示す機能ブロック図である。来客通知装置４Ｂは、通信部４１、コントローラ４２、報知部４３、および入力部４４を備える。
【００６７】
入力部４４は、ユーザによる操作を受け付ける。入力部４４は、例えば、押しボタンスイッチを有してよい。この場合、入力部４４は、押しボタンスイッチが押下されると、当該押下の操作を受け付ける。
【００６８】
通信部４１は、電子機器４Ａの通信部４１と同様である。通信部４１が発光機器２と通信するにあたって用いられる通信方式は、有線または無線の通信規格であってよい。有線の通信規格は、例えばＥｔｈｅｒｎｅｔ（登録商標）等を含んでよい。通信部４１は、入力部４４がユーザによる操作を受け付けると、コントローラ４２の制御により、通知情報を発光機器２に送信する。通知情報は、通知種別として、通信装置４（入力部４４）が操作されたことを示す情報を含む。通知情報は、来客通知装置４Ｂを特定可能な識別子を含んでもよい。通知情報は、緊急フラグを含まなくてよい。
【００６９】
コントローラ４２は、入力部４４がユーザによる操作を受け付けると、通信部４１から通知情報を発光機器２に送信するよう制御する。コントローラ４２は、入力部４４がユーザによる操作を受け付けたことを報知部４３に報知させる。
【００７０】
報知部４３は、入力部４４がユーザによる操作を受け付けると、スピーカにより報知する。
【００７１】
発光機器２は、光を発する。発光機器２は、来客通知装置４Ｂと互いに通信可能である。発光機器２が備える機能部は、発光機器１と同様であってよい。
【００７２】
発光機器２のメモリ１２は、来客通知装置４Ｂを一意に特定する識別子を対象識別子として記憶する。
【００７３】
発光機器２のコントローラ１５は、通信部１１を介して来客通知装置４Ｂから受信した通知情報に含まれる通知種別に基づいて、発光部１４を制御する。
【００７４】
図７は、発光機器１の動作を説明するフローチャートの一例である。図７に示すフローは、例えば来客が入力部４４を操作した場合に実行される。
【００７５】
入力部４４が操作されると、来客通知装置４Ｂのコントローラ４２は、入力部４４が操作されたことを示す通知情報を生成し、通信部４１から送信する。コントローラ１５は、通信部１１を介して、来客通知装置４Ｂから通知情報を受信する（ステップＳ２１）。
【００７６】
コントローラ１５は、発光部１４がオンであるか否かを判定する（ステップＳ２２）。
【００７７】
コントローラ１５は、発光部１４がオフであると判定すると（ステップＳ２２のＮｏ）、処理を終了する。
【００７８】
コントローラ１５は、発光部１４がオンにされていると判定すると（ステップＳ２２のＹｅｓ）、通知情報に含まれる識別子が、メモリ１２に記憶されている対象識別子のうちのいずれかに該当するか否かを判定する（ステップＳ２３）。
【００７９】
コントローラ１５は、通知情報に含まれる識別子が、メモリ１２に記憶されている対象識別子のいずれかに該当すると判定した場合（ステップＳ２３のＹｅｓ）、通知情報に含まれる通知種別に基づいて発光パターンを決定する（ステップＳ２４）。
【００８０】
コントローラ１５は、決定された発光パターンで発光部１４に発光させる（ステップＳ２５）。
【００８１】
以上、コントローラ１５は、情報を受信した通信装置４から受信した通知情報に含まれる通知種別に基づいて決定した発光パターンで発光部１４を発光させる。そのため、ユーザは、発光部１４が発光パターンに従って行った発光により、視覚的に、通信装置４が情報を受信したことを認識することができる。ユーザは、発光部１４が発する光により、来客通知装置４Ｂが操作されたことを認識しやすい。
【００８２】
図８は、発光機器３の概略図の一例である。前述の実施形態において同様となる説明は、適宜、簡略化または省略する。
【００８３】
通信装置４は電子機器４Ｃであってよい。電子機器４Ｃは、電子機器４Ｃを一意に特定する識別子を送信する。電子機器４Ｃは、発光機器２からの要求に基づいて属性情報を発光機器１に送信する。属性情報は、電子機器４Ｃのユーザの属性を含んでよい。属性は、例えば、性別および年齢を含んでよい。性別は、電子機器４Ｃのユーザの性別である。年齢は、電子機器４Ｃのユーザの年齢または年齢層である。属性情報は、例えばユーザによる操作入力により設定されて、通信装置４の記憶部に記憶されてよい。属性情報は、例えば予め通信装置４の記憶部に記憶されていてよい。電子機器４Ｃは、属性とともに、または属性に代えて、通信装置４の機種の情報（以下、「機種情報」とも称する）を送信してよい。電子機器４Ｃの各機種は、特定の年齢層または特定の性別のユーザに向けて製造および販売されていることが多い。このため、機種は、電子機器４Ｃのユーザの性別および年齢層に相当するものとして扱う。
【００８４】
発光機器３は、例えば車両５に搭載される。図９は、発光機器３を搭載した車両５の概略図の一例である。発光機器３は、詳細は後述するが、発光部１４を備える。発光部１４は、例えば、車両５の室内にルームランプ３１として設置されてよい。発光機器３の発光部１４は、例えば、車両５の外側表面にヘッドライト３２として設置されてよい。発光機器３は、車両５を制御するＥＣＵ（Engine Control UnitまたはElectric Control Unit）５から情報を受信可能である。
【００８５】
ＥＣＵ６は、車両５を制御する。ＥＣＵ６は、例えば車両５に関連して使用される被制御装置を制御することにより、車両５の走行を制御することができる。被制御装置には、例えば、エンジン、モータ、トランスミッション、カーエアコンディショナ、パワーウィンドウ、カーナビゲーションシステム、カーオーディオ、ヘッドアップディスプレイ等を含んでよいが、これらに限られない。例えば、ＥＣＵ６は、車両５に取り付けられているワイパーおよびランプ等の動作を制御する。ＥＣＵ６は、例えばドライバによりブレーキが制御されている場合、ブレーキが制御されていることを示すブレーキ情報を発光機器３に送信する。
【００８６】
図８に示したように、発光機器３は、通信部１１と、メモリ１２と、操作部１３と、発光部１４と、コントローラ１５と、を備える。
【００８７】
通信部１１は、専用線又はＣＡＮ（Controller Area Network）等の車載ネットワークを介して、車両５が備えるＥＣＵ６から情報を受信可能である。発光機器３は、通信部１１を介して、ブレーキ情報を受信する。
【００８８】
メモリ１２は、発光パターンを記憶する。実施形態の一態様として、発光パターンとして発光色のみが記憶されている例を説明する。ただし、発光パターンは、輝度、ならびに特定の輝度および色で発光する時間を含んでもよい。各発光パターンはそれぞれ特定の属性に対応付けられてメモリ１２に記憶される。
【００８９】
操作部１３は、ユーザによる操作を受け付ける。例えば、操作部１３は、スイッチにより構成され、ユーザによる当該スイッチへの操作を受け付ける。
【００９０】
発光部１４は、操作部１３によって受け付けられた操作に基づいて、発光したり、発光を停止したりしてよい。発光部１４は、コントローラ１５の制御に基づいて、当該コントローラ１５によって決定された発光パターンで光を発する。
【００９１】
コントローラ１５は、例えばＣＰＵ等のプロセッサ、またはＳｏＣ等の集積回路である。コントローラ１５は、発光機器１の動作を統括的に制御して各種の機能を実現する。コントローラ１５は、通信部１１を介して電子機器４Ｃから受信した属性情報に基づいて、発光部１４の発光を制御する。
【００９２】
ここで、コントローラ１５が行う制御の一例について詳細に説明する。電子機器４Ｃは、識別子を含む電波を送信する。電子機器４Ｃを所持するユーザが発光機器１の設置された車両５に乗車すると、電子機器４Ｃから送信される電波が、発光機器３により受信される。このようにして、発光機器３は、電子機器４Ｃから、識別子を含む電波を受信する。例えば、それぞれ電子機器４Ｃを所持する複数のユーザが車両５に乗車した場合、発光機器３は、これら複数のユーザがそれぞれ所持する電子機器４Ｃから電波を受信する。
【００９３】
コントローラ１５は、電子機器４Ｃから電波を受信すると、電子機器４Ｃそれぞれに、属性情報の送信を要求する信号を送信する。電子機器４Ｃは、属性情報の送信を要求する信号に基づいて、当該電子機器４Ｃの属性情報を、発光機器１に送信する。コントローラ１５は、当該要求に基づいて各電子機器４Ｃから送信された属性を、通信部１１を介して受信してよい。
【００９４】
属性情報の送信を要求する信号は、電子機器４Ｃに機種情報を要求する信号であってもよい。この場合、コントローラ１５は、機種情報を要求する信号に基づいて各電子機器４Ｃから送信された機種情報を受信してよい。コントローラ１５は、受信した機種情報に含まれる機種に基づいて、各電子機器４Ｃのユーザの年齢および性別を判定してよい。
【００９５】
コントローラ１５は、通信部１１を介して受信した電波の電波強度に基づいて、各電子機器４Ｃの位置を判定してよい。例えば、発光機器３の通信部１１が、車両５内の席のうち運転席に最も近くに設置されている場合、コントローラ１５は、最も電波強度の高い電波を送信している電子機器４Ｃが運転席にあると判定する。この場合、コントローラ１５は、最も電波強度の高い電波以外の電波を送信している電子機器４Ｃが運転席以外の席にあると判定する。コントローラ１５は、上述の例に限らず、任意のアルゴリズムで各電子機器４Ｃの位置を判定してよい。これによって、コントローラ１５は、車両５内の各座席に座っているユーザの属性を判定することができる。
【００９６】
ここで、車両５の室内に設置されている発光機器３のコントローラ１５が属性に基づいて実行する発光部１４の発光制御の詳細について説明する。コントローラ１５は、車両５のブレーキが操作されたときに、発光部１４を所定の発光パターンで発光させる制御を実行する。運転者が車両５を減速させるためにブレーキを踏むと、ＥＣＵ６は、ブレーキが制御されたことを示すブレーキ情報を、発光機器３に送信する。
【００９７】
コントローラ１５は、通信部１１を介して、ＥＣＵ６からブレーキ情報を受信してよい。コントローラ１５は、ブレーキ情報を受信すると発光パターンを決定し、当該発光色で発光部１４を発光させる。
【００９８】
具体的には、コントローラ１５は、各電子機器４Ｃから送信された属性と、各電子機器４Ｃの位置とに基づいて発光パターンを決定する。実施形態の一態様において、コントローラ１５が決定する発光パターンは、色（以下、「発光色」とも称する）である。
【００９９】
ここで、コントローラ１５が発光色を決定する処理の一例について説明する。
【０１００】
コントローラ１５は、運転席に座っている人が高齢者であるか否かを判定する。コントローラ１５は、例えばコントローラ１５は、運転席にあると判定された電子機器４Ｃから送信された属性情報が示す属性に含まれる年齢が第１年齢以上であるか否かを判定する。第１年齢は、高齢運転者の最低年齢である。高齢運転者は、例えば統計的に交通事故を発生させる可能性が高い年齢の運転者であってよい。第１年齢は、例えば、７０歳であってよい。年齢が第１年齢以上であると判定された場合、コントローラ１５は、発光色を第１の色と決定する。すなわち、第１の色は、高齢者に対応付けられている。第１の色は、例えば、橙色等であってよい。
【０１０１】
年齢が第１年齢未満であると判定された場合、コントローラ１５は、運転席に座っている人が女性であるか否かを判定する。コントローラ１５は、例えば運転席にあると判定された電子機器４Ｃから送信された属性に含まれる性別が女性であるか否かを判定する。性別が女性であると判定された場合、コントローラ１５は、発光色を第２の色と決定する。すなわち、第２の色は、女性に対応付けられている。第２の色は、例えば、ピンク色、赤色であってよい。
【０１０２】
属性に含まれる性別が女性でないと判定された場合、コントローラ１５は、運転席以外の席に座っている人のなかに子供がいるか否かを判定する。コントローラ１５は、例えば運転席以外の席にあると判定された電子機器４Ｃから送信された属性のうち、年齢が第２年齢以下の年齢を含む属性があるか否かを判定する。第２年齢は、例えば、１０歳であってよい。第２年齢以下の年齢を含む属性がある場合、コントローラ１５は、発光色を第３の色と決定する。すなわち、第３の色は、子供に対応付けられている。第３の色は、例えば、黄色であってよい。
【０１０３】
第２年齢以下の年齢を含む属性がない場合、コントローラ１５は、運転席以外の席に座っている人のなかに高齢者がいるか否かを判定する。コントローラ１５は、例えば運転席以外の席にある各電子機器４Ｃから送信された属性のうち、第１年齢以上の年齢を含む属性があるか否かを判定する。運転席以外の席から受信した属性に第１年齢以上の年齢を含む属性がある場合、コントローラ１５は、発光色を第４の色と決定する。すなわち、第４の色は、高齢者に対応付けられている。第４の色は、例えば橙色であってよい。
【０１０４】
運転席以外の席から受信した属性に第１年齢以上の年齢を含む属性がない場合、コントローラ１５は、発光色を第５の色と決定する。第５の色は、例えば、白色であってよい。
【０１０５】
コントローラ１５は、上述のようにして決定された発光色で発光部１４を発光させる。
【０１０６】
図１０は、発光機器３の動作の例を説明するフローチャートである。電子機器４Ｃは、識別子を含む電波を送信する。電子機器４Ｃを所持するユーザが発光機器１が設置された車両５に乗車すると、電子機器４Ｃから送信される電波が、発光機器３により受信される。このようにして、発光機器３は、電子機器４Ｃから、識別子を含む電波を受信する。例えば、それぞれ電子機器４Ｃを所持する複数のユーザが車両５に乗車した場合、発光機器３は、これら複数のユーザがそれぞれ所持する電子機器４Ｃから電波を受信する。
【０１０７】
一方、運転者が車両５を減速させるためにブレーキを踏むと、ＥＣＵ６は、ブレーキが制御されたことを示すブレーキ情報を、発光機器３に送信する。
【０１０８】
コントローラ１５は、通信部１１を介して、ＥＣＵ６からブレーキ情報を受信する（ステップＳ３１）。
【０１０９】
コントローラ１５は、ブレーキ情報を受信すると、属性情報を要求する信号を、発光機器３に電波が到達している各電子機器４Ｃの識別子に基づいて、各電子機器４Ｃに送信する（ステップＳ３２）。
【０１１０】
コントローラ１５は、各電子機器４Ｃが属性情報を要求する信号に基づいて送信した属性情報を受信する（ステップＳ３３）。
【０１１１】
コントローラ１５は、各電子機器４Ｃから受信する電波の電波強度に基づいて、車内における各電子機器４Ｃの位置を判定する（ステップＳ３４）。
【０１１２】
コントローラ１５は、位置および属性に基づいて、発光色を決定する（ステップＳ３５）。
【０１１３】
図１１は、発光色の決定における発光機器２の動作の例を説明するフローチャートである。図１１を参照して、コントローラ１５が発光色を決定する処理の詳細を説明する。
【０１１４】
コントローラ１５は、運転席にある電子機器４Ｃの属性に含まれる年齢が第１年齢以上であるか否かを判定する（ステップＳ３５１）。
【０１１５】
年齢が第１年齢以上であると判定されると（ステップＳ３５１のＹｅｓ）、コントローラ１５は、発光色を第１の色と決定する（ステップＳ３５２）。
【０１１６】
年齢が第１年齢未満であると判定されると（ステップＳ３５１のＮｏ）、コントローラ１５は、運転席にある電子機器４Ｃの属性に含まれる性別が女性であるか否かを判定する（ステップＳ３５３）。
【０１１７】
性別が女性であると判定されると（ステップＳ３５３のＹｅｓ）、コントローラ１５は、発光色を第２の色と決定する（ステップＳ３５４）。
【０１１８】
性別が女性でないと判定されると（ステップＳ３５３のＮｏ）、コントローラ１５は、運転席以外の席にある電子機器４Ｃの属性に、第２年齢以下の年齢を含む属性があるか否かを判定する（ステップＳ３５５）。
【０１１９】
第２年齢以下の年齢を含む属性があると判定されると（ステップＳ３５５のＹｅｓ）、コントローラ１５は、発光色を第３の色と決定する（ステップＳ３５６）。
【０１２０】
第２年齢以下の年齢を含む属性がないと判定されると（ステップＳ３５５のＮｏ）、コントローラ１５は、運転席以外の席にある電子機器４Ｃの属性に、第１年齢以上の年齢を含む属性があるか否かを判定する（ステップＳ３５７）。
【０１２１】
第１年齢以上の年齢を含む属性があると判定されると（ステップＳ３５７のＹｅｓ）、コントローラ１５は、発光色を第４の色と決定する（ステップＳ３５８）。
【０１２２】
第１年齢以上の年齢を含む属性がないと判定されると（ステップＳ３５７のＮｏ）、コントローラ１５は、発光色を第５の色と決定する（ステップＳ３５９）。
【０１２３】
図１０に戻って、コントローラ１５は、決定された発光色で発光するよう発光部１４を制御する（ステップＳ３６）。
【０１２４】
コントローラ１５は、ブレーキ情報の受信が終了したか否かを判定する（ステップＳ３７）。
【０１２５】
ブレーキ情報の受信が終了したと判定されると（ステップＳ３７のＹｅｓ）、コントローラ１５は、動作を終了する。ブレーキ情報の受信が終了していないとされると（ステップＳ３７のＮｏ）、コントローラ１５は、ステップＳ３６へ戻って引き続き、決定された発光色で発光するよう発光部１４を制御する。
【０１２６】
コントローラ１５は、車両５のヘッドライト３２の発光に基づいて、発光部１４を制御してもよい。車両５の運転者が操作を行うと、ＥＣＵ６は、当該操作に基づいてヘッドライト３２を発光させる。このとき、ＥＣＵ６は、ヘッドライト３２が発光していることを示すヘッドライト発光情報を発光機器１に送信する。
【０１２７】
コントローラ１５は、通信部１１を介して、ＥＣＵ６からヘッドライト発光情報を受信してよい。ヘッドライト発光情報は、ＥＣＵ６が発光部１４としてのヘッドライト３２を発光させていることを示す情報である。コントローラ１５は、ヘッドライト発光情報を受信すると、上述と同様に発光色を決定する。コントローラ１５は、発光色を決定すると、決定された発光色で発光部１４を発光させる。
【０１２８】
以上、コントローラ１５は、ユーザの属性を示す属性に基づいて発光パターンを決定する。そのため、例えば、発光機器１が車両５に搭載される場合、当該発光パターンで発光部１４が発光することによって、他の車両の運転者は車両５の乗員の属性を視覚により認識することができる。
【０１２９】
また、従来、搭乗者の属性を他の車両の運転者に認識させるために、車両の車体表面にステッカーを貼り付けていた。例えば、運転者が高齢者であることを示すもみじマークのステッカー、子供が載っていることを示すステッカー等が車両に貼り付けられていた。しかし、これらのステッカーは、当該ステッカーが貼り付けられた面に対向する方向からのみ認識され、他の方向から認識されるのが困難であった。また、夜間等の周囲が暗いとき、車体表面のステッカーは認識されにくいことがあった。車両５は、乗員の属性を発光機器１の発光により周囲に伝達させるため、周囲に位置する他の車両の運転者に車両５の乗員の属性を認識させやすい。
【０１３０】
コントローラ１５は、年齢と位置とに基づいて発光パターンを決定して、当該発光パターンで発光部１４を発光させる。そのため、例えば、車両５の運転席に高齢者が乗車している場合、他の車両の運転者は車両５が高齢者により運転されていることを視覚により認識することができる。高齢者は、運転において反応が遅いことがある。そのため、他の車両の運転者は、高齢者の運転を認識することにより、車両５に起因した事故等を防ぐべく運転を行うことができる。例えば、他の車両の運転者は、当該他の車両と車両５との車間距離を、高齢者でない運転者が運転する車両との車間距離より長くすることができる。したがって、他の車両の運転者は、安全性の高い運転を行うことができる。
【０１３１】
コントローラ１５は、性別と位置とに基づいて発光パターンを決定して、当該発光パターンで発光部１４を発光させる。そのため、例えば、車両５の運転席に女性が搭乗している場合、他の車両の運転者は、車両５が女性により運転されていることを視覚により認識してすることができる。
【０１３２】
上述の実施形態は代表的な例として説明したが、本開示の趣旨および範囲内で、多くの変更および置換ができることは当業者に明らかである。従って、本開示は、上述の実施形態によって制限するものと解するべきではなく、特許請求の範囲から逸脱することなく、種々の変更が可能である。例えば、実施形態に記載の複数の構成ブロックを１つに組合せたり、あるいは１つの構成ブロックを分割したりすることが可能である。
【０１３３】
例えば、通知情報は通知の緊急性を示す情報を含まない場合、コントローラ１５は、緊急性を示す情報に基づいて発光を制御せず、通知情報が示す情報または信号に基づいて発光を制御してもよい。
【０１３４】
例えば、コントローラ１５は、通信部１１を介して来客通知装置４Ｂから通知情報を受信すると、発光部１４が第２モードで光を発しているか否かを判定してよい。コントローラ１５は、発光部１４が第２モードで光を発していないと判定した場合に、発光パターンを決定し、当該発光パターンで発光部１４を発光させてよい。コントローラ１５は、発光部１４が第２モードで光を発していると判定した場合に、処理を行わなくてよい。
【０１３５】
例えば、前述の複数の実施形態における処理を組み合わせてもよい。この場合、メモリ１２には、あらかじめ通知の対象となる電子機器４Ａの識別子と来客通知装置４Ｂとの識別子とがそれぞれ対象識別子として記憶してよい。コントローラ１５は、電子機器４Ａと来客通知装置４Ｂとのいずれかから通知情報を受信すると、当該通知情報に含まれる識別子が対象識別子であるか否かを判定してよい。コントローラ１５は、通知情報に含まれる識別子が対象識別子であると判定した場合、受信した通知情報に含まれる通知種別と同一の通知種別にテーブルで関連付けられている発光パターンを抽出してよい。コントローラ１５は、抽出された発光パターンを発光部１４に発光させるパターンとして決定してよい。
【符号の説明】
【０１３６】
１，２，３  発光機器
４          通信装置
４Ａ，４Ｃ  電子機器
４Ｂ        来客通知装置
５          車両
６          ＥＣＵ
１１，４１  通信部
１２        メモリ
１３        操作部
１４        発光部
１５，４２  コントローラ
３１        ルームランプ
３２        ヘッドライト
４３        報知部
４４        入力部
４５        ディスプレイ
【図１】
2019006353.tif 000003
【図２】
2019006353.tif 000004
【図３】
2019006353.tif 000005
【図４】
2019006353.tif 000006
【図５】
2019006353.tif 000007
【図６】
2019006353.tif 000008
【図７】
2019006353.tif 000009
【図８】
2019006353.tif 000010
【図９】
2019006353.tif 000011
【図１０】
2019006353.tif 000012
【図１１】
2019006353.tif 000013